【手続補正書】
【提出日】平成16年12月15日(2004.12.15)
【手続補正１】
【補正対象書類名】明細書
【補正対象項目名】発明の名称
【補正方法】変更
【補正の内容】
【発明の名称】撮像装置及びその制御方法
【手続補正２】
【補正対象書類名】明細書
【補正対象項目名】特許請求の範囲
【補正方法】変更
【補正の内容】
【特許請求の範囲】
【請求項１】
被写体像を光電変換する撮像手段と、
前記撮像手段によって得られた第１の画像を生成する第１の画像生成手段と、
前記撮像手段によって得られた被写体像のうち所定の領域の第２の画像を生成する第２の画像生成手段と、
前記第２の画像に基づいて適正輝度になるように露出制御する露出制御手段と、
前記第１の画像に基づいて適正輝度になるように前記第１の画像の信号を補正する輝度補正手段とを有することを特徴とする撮像装置。
【請求項２】
被写体像を光電変換する撮像手段と、
前記撮像手段によって得られた第１の画像を生成する第１の画像生成手段と、
前記撮像手段によって得られた被写体像のうち所定の領域の第２の画像を生成する第２の画像生成手段と、
前記第１の画像に基づいて適正輝度になるように露出制御する露出制御手段と、
前記第２の画像に基づいて適正輝度になるように前記第２の画像の信号を補正する輝度補正手段とを有することを特徴とする撮像装置。
【請求項３】
第１の動作モードと第２の動作モードにて動作可能な撮像装置であって、
被写体像を光電変換する撮像手段と、
前記撮像手段によって得られた第１の画像を生成する第１の画像生成手段と、
前記撮像手段によって得られた被写体像のうち所定の領域の第２の画像を生成する第２の画像生成手段と、
画像が適正輝度になるように露出制御する露出制御手段と、
画像が適正輝度になるように画像の信号を補正する輝度補正手段と、
前記第１の動作モードが選択された場合には、前記第１の画像に基づいて適正輝度になるように露出制御するとともに第２の画像に基づいて適正輝度になるように前記第１の画像の信号を補正するよう制御し、前記第２の動作モードが選択された場合には、前記第２の画像に基づいて適正輝度になるように露出制御するとともに第１の画像に基づいて適正輝度になるように前記第１の画像の信号を補正するよう制御する制御手段とを有することを特徴とする撮像装置。
【請求項４】
前記第１の動作モードは静止画を撮像するモードであり、前記第２の動作モードは撮像許可信号に基づいて連続して撮像するモードであることを特徴とする請求項３記載の撮像装置。
【請求項５】
前記第１の画像と前記第２の画像を表示するよう制御する表示制御手段とを有することを特徴とする請求項１ないし４のいずれかに記載の撮像装置。
【請求項６】
前記表示制御手段は前記第１の画像と前記第２の画像を合成して表示するよう制御することを特徴とする請求項５に記載の撮像装置。
【請求項７】
前記表示制御手段の制御に基づいて画像を表示する画像表示手段を有し、画像表示手段は、前記撮像手段の画素数よりも少ない画素数で画像の表示を行なうことを特徴とする請求項５に記載の撮像装置。
【請求項８】
焦点調整部材を動作させることによって焦点合わせを行う焦点調節手段と、前記焦点調節手段による焦点調整終了後に前記第１の画像と前記第２の画像を表示するよう制御する表示制御手段とを有することを特徴とする請求項１ないし４のいずれかに記載の撮像装置。
【請求項９】
前記焦点調節手段は自動で焦点調整を行なう第１の動作モードと手動で焦点調整を行なう第２の動作モードにて動作可能であって、前記焦点調節手段の動作モードを切り換える切り換え手段と有し、前記表示制御手段は、前記切り換え手段によって前記第２の動作モードに切り換えられている場合に前記第１の画像と前記第２の画像を表示するよう制御することを特徴とする請求項８に記載の撮像装置。
【請求項１０】
被写体像を光電変換する撮像手段を有する撮像装置の制御方法であって、
前記撮像手段によって得られた第１の画像を生成する第１の画像生成ステップと、
前記撮像手段によって得られた被写体像のうち所定の領域の第２の画像を生成する第２の画像生成ステップと、
前記第２の画像に基づいて適正輝度になるように露出制御する露出制御ステップと、
前記第１の画像に基づいて適正輝度になるように前記第１の画像の信号を補正する輝度補正ステップとを有することを特徴とする撮像装置の制御方法。
【請求項１１】
被写体像を光電変換する撮像手段を有する撮像装置の制御方法であって、
前記撮像手段によって得られた第１の画像を生成する第１の画像生成ステップと、
前記撮像手段によって得られた被写体像のうち所定の領域の第２の画像を生成する第２の画像生成ステップと、
前記第１の画像に基づいて適正輝度になるように露出制御する露出制御ステップと、
前記第２の画像に基づいて適正輝度になるように前記第２の画像の信号を補正する輝度補正ステップとを有することを特徴とする撮像装置の制御方法。
【請求項１２】
被写体像を光電変換する撮像手段を有し、第１の動作モードと第２の動作モードにて動作可能な撮像装置の制御方法であって、
前記撮像手段によって得られた第１の画像を生成する第１の画像生成ステップと、
前記撮像手段によって得られた被写体像のうちの所定の領域の第２の画像を生成する第２の画像生成ステップと、
画像が適正輝度になるように露出制御する露出制御ステップと、
画像が適正輝度になるように画像の信号を補正する輝度補正ステップと、
前記第１の動作モードが選択された場合には、前記第１の画像に基づいて適正輝度になるように露出制御するとともに第２の画像に基づいて適正輝度になるように前記第１の画像の信号を補正するよう制御し、前記第２の動作モードが選択された場合には、前記第２の画像に基づいて適正輝度になるように露出制御するとともに第１の画像に基づいて適正輝度になるように前記第１の画像の信号を補正するよう制御する制御ステップとを有することを特徴とする撮像装置の制御方法。
【手続補正３】
【補正対象書類名】明細書
【補正対象項目名】０００９
【補正方法】変更
【補正の内容】
【０００９】
【課題を解決するための手段】
上述した課題を解決し、目的を達成するために、本発明に係わる撮像装置は、被写体像を光電変換する撮像手段と、前記撮像手段によって得られた第１の画像を生成する第１の画像生成手段と、前記撮像手段によって得られた被写体像のうち所定の領域の第２の画像を生成する第２の画像生成手段と、前記第２の画像に基づいて適正輝度になるように露出制御する露出制御手段と、前記第１の画像に基づいて適正輝度になるように前記第１の画像の信号を補正する輝度補正手段とを有することを特徴とする。
【手続補正４】
【補正対象書類名】明細書
【補正対象項目名】００１０
【補正方法】変更
【補正の内容】
【００１０】
また、本発明に係わる撮像装置は、被写体像を光電変換する撮像手段と、前記撮像手段によって得られた第１の画像を生成する第１の画像生成手段と、前記撮像手段によって得られた被写体像のうち所定の領域の第２の画像を生成する第２の画像生成手段と、前記第１の画像に基づいて適正輝度になるように露出制御する露出制御手段と、前記第２の画像に基づいて適正輝度になるように前記第２の画像の信号を補正する輝度補正手段とを有することを特徴とする。
【手続補正５】
【補正対象書類名】明細書
【補正対象項目名】００１１
【補正方法】変更
【補正の内容】
【００１１】
また、本発明に係わる撮像装置は、第１の動作モードと第２の動作モードにて動作可能な撮像装置であって、被写体像を光電変換する撮像手段と、前記撮像手段によって得られた第１の画像を生成する第１の画像生成手段と、前記撮像手段によって得られた被写体像のうち所定の領域の第２の画像を生成する第２の画像生成手段と、画像が適正輝度になるように露出制御する露出制御手段と、画像が適正輝度になるように画像の信号を補正する輝度補正手段と、前記第１の動作モードが選択された場合には、前記第１の画像に基づいて適正輝度になるように露出制御するとともに第２の画像に基づいて適正輝度になるように前記第１の画像の信号を補正するよう制御し、前記第２の動作モードが選択された場合には、前記第２の画像に基づいて適正輝度になるように露出制御するとともに第１の画像に基づいて適正輝度になるように前記第１の画像の信号を補正するよう制御する制御手段とを有することを特徴とする。
【手続補正６】
【補正対象書類名】明細書
【補正対象項目名】００１２
【補正方法】変更
【補正の内容】
【００１２】
また、本発明に係わる撮像装置の制御方法は、被写体像を光電変換する撮像手段を有する撮像装置の制御方法であって、前記撮像手段によって得られた第１の画像を生成する第１の画像生成ステップと、前記撮像手段によって得られた被写体像のうち所定の領域の第２の画像を生成する第２の画像生成ステップと、前記第２の画像に基づいて適正輝度になるように露出制御する露出制御ステップと、前記第１の画像に基づいて適正輝度になるように前記第１の画像の信号を補正する輝度補正ステップとを有することを特徴とする。
【手続補正７】
【補正対象書類名】明細書
【補正対象項目名】００１３
【補正方法】変更
【補正の内容】
【００１３】
また、本発明に係わる撮像装置の制御方法は、被写体像を光電変換する撮像手段を有する撮像装置の制御方法であって、前記撮像手段によって得られた第１の画像を生成する第１の画像生成ステップと、前記撮像手段によって得られた被写体像のうち所定の領域の第２の画像を生成する第２の画像生成ステップと、前記第１の画像に基づいて適正輝度になるように露出制御する露出制御ステップと、前記第２の画像に基づいて適正輝度になるように前記第２の画像の信号を補正する輝度補正ステップとを有することを特徴とする。
【手続補正８】
【補正対象書類名】明細書
【補正対象項目名】００１４
【補正方法】変更
【補正の内容】
【００１４】
また、本発明に係わる撮像装置の制御方法は、被写体像を光電変換する撮像手段を有し、第１の動作モードと第２の動作モードにて動作可能な撮像装置の制御方法であって、前記撮像手段によって得られた第１の画像を生成する第１の画像生成ステップと、前記撮像手段によって得られた被写体像のうちの所定の領域の第２の画像を生成する第２の画像生成ステップと、画像が適正輝度になるように露出制御する露出制御ステップと、画像が適正輝度になるように画像の信号を補正する輝度補正ステップと、前記第１の動作モードが選択された場合には、前記第１の画像に基づいて適正輝度になるように露出制御するとともに第２の画像に基づいて適正輝度になるように前記第１の画像の信号を補正するよう制御し、前記第２の動作モードが選択された場合には、前記第２の画像に基づいて適正輝度になるように露出制御するとともに第１の画像に基づいて適正輝度になるように前記第１の画像の信号を補正するよう制御する制御ステップとを有することを特徴とする。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】